(57)【要約】【課題】プラスムービーオートモードを備えるレンズ交換可能な撮像装置において、品位の低い画像や音声は記録せず、かつ最適に適用できる撮像装置を提供すること。【解決手段】自動で動画を撮影し動画バッファに所定時間分の動画を記憶する動画記憶手段と、静止画撮影のタイミングで前記動画バッファに記憶された動画を静止画とともに記録媒体に記録するモードと、交換レンズの装着を検知するレンズ装着検知手段と、交換レンズが装着された際に交換レンズの初期化処理を行うレンズ初期化手段を有し、前記モードでは前記交換レンズの初期化処理完了時に前記動画バッファに記憶された動画を破棄することを特徴とする。【選択図】図１
2016082271.tif 000002
【特許請求の範囲】
【請求項１】
自動で動画を撮影し動画バッファに所定時間分の動画を記憶する動画記憶手段と、
静止画撮影のタイミングで前記動画バッファに記憶された動画を静止画とともに記録媒体に記録するモードと、
交換レンズの装着を検知するレンズ装着検知手段と、
交換レンズが装着された際に交換レンズの初期化処理を行うレンズ初期化手段を有し、
前記モードでは前記交換レンズの初期化処理完了時に前記動画バッファに記憶された動画を破棄することを特徴とする撮像装置。
【請求項２】
前記レンズ初期化処理とは、絞り初期化、手ぶれ補正用レンズの初期化、フォーカスレンズの初期化の少なくとも一つであることを特徴とする請求項１に記載の撮像装置。
【請求項３】
動画撮影中に撮影画像を表示する表示手段をさらに備え、前記レンズ初期化処理中は、前記表示手段の表示を行わないことを特徴とする請求項１又は請求項２に記載の撮像装置。
【発明の詳細な説明】
【技術分野】
【０００１】
本発明は、撮像装置、撮像装置の制御方法に関し、特に、レンズ交換が可能で、動画撮影と静止画撮影を行うことができる撮像装置、撮像装置の制御に関する。
【背景技術】
【０００２】
従来、特定の撮影モード（以下プラスムービーオートモードと呼ぶ）において、静止画記録の指示が入力されたことに応じて静止画の記録を行うとともに、その指示が入力されるより前の所定秒数の動画を同時に記録する撮像装置が知られている。また、レンズ交換可能な撮像装置においては、レンズ装着時に絞りや手ぶれ補正用レンズ、フォーカスレンズ等の初期化が必要な撮像装置が知られている。
【０００３】
ここで、プラスムービーオートモードを備えるレンズ交換可能な撮像装置において、レンズ交換後に静止画撮影する場合を考える。プラスムービーオートモード時にレンズが装着されると、絞りや手ぶれ補正用レンズ、フォーカスレンズ等の初期化が行われる。これらの初期化動作中は、撮像画像の明るさや画角、ピント等が大きく変動しており、かつ駆動音も発生している。この直後に静止画記録の指示が入力されると、静止画を記録し、さらにその指示が入力されるより前の所定秒数の動画を同時に記録する。すると、ここで記録される動画には、絞りや手ぶれ補正用レンズ、フォーカスレンズ等の初期化による品位の低い画像や音声が記録されてしまう。
【０００４】
これに対して、特許文献１では、レンズが取り外された場合にバッファリングされた動画を破棄し、レンズが再装着されるとバッファリングを再開する撮像装置が提案されている。
【先行技術文献】
【特許文献】
【０００５】
【特許文献１】特開２０１１−２２３５０２号公報
【発明の概要】
【発明が解決しようとする課題】
【０００６】
しかしながら、特許文献１ではプラスムービーオートモードに適用する際の最適な手段とはならない。例えばレンズが再装着されたタイミングで動画のバッファリングを再開すると、バッファリング開始のための処理時間分だけ動画の再開が遅延してしまい、直後に静止画記録の指示が入力された際に残せる動画の時間が短くなってしまう。
【０００７】
そこで、本発明の目的は、プラスムービーオートモードを備えるレンズ交換可能な撮像装置において、品位の低い画像や音声は記録せず、かつ最適に適用できる撮像装置を提供することにある。
【課題を解決するための手段】
【０００８】
上記目的を達成するために、本発明に係る撮像装置は、自動で動画を撮影し動画バッファに所定時間分の動画を記憶する動画記憶手段と、静止画撮影のタイミングで前記動画バッファに記憶された動画を静止画とともに記録媒体に記録するモードと、交換レンズの装着を検知するレンズ装着検知手段と、交換レンズが装着された際に交換レンズの初期化処理を行うレンズ初期化手段を有し、前記モードでは前記交換レンズの初期化処理完了時に前記動画バッファに記憶された動画を破棄することを特徴とする。
【発明の効果】
【０００９】
本発明によれば、プラスムービーオートモードを備えるレンズ交換可能な撮像装置において、品位の低い画像や音声は記録せず、かつ最適に適用できる撮像装置の提供を実現できる。
【図面の簡単な説明】
【００１０】
【図１】本実施例のデジタルカメラの動作を示すフローチャートである。
【図２】本実施例のデジタルカメラを示すブロック図である。
【発明を実施するための形態】
【００１１】
以下、図面を参照して本発明の実施例を詳細に説明するが、この発明は以下の実施の形態に限定されない。また、この発明の実施の形態は発明の好ましい形態を示すものであり、発明の範囲を限定するものではない。
【００１２】
［実施例］
本実施例では、レンズ交換が可能で、かつ動画及び静止画を記録することができる撮像装置について説明する。本実施例の撮像装置は、レンズ装着時に絞りや手ぶれ補正用レンズ、フォーカスレンズ等の初期化を行う。また、本実施例の撮像装置は、特定の撮影モード（以下プラスムービーオートモードと呼ぶ）においては、静止画記録の指示が入力されたことに応じて静止画の記録を行うとともに、その指示が入力されるより前の所定秒数の動画を同時に記録する。以下に、本実施例の撮像装置について説明をする。
【００１３】
以下、図２を用いて、本実施例の撮像装置１００及び着脱可能な交換レンズ２００の主要な構成を説明する。図２において、１００は撮像装置である。制御部１０１は、例えば、ＣＰＵ（ＭＰＵ）、メモリ（ＤＲＡＭ、ＳＲＡＭ）などからなり、各種処理（プログラム）を実行して撮像装置１００の各ブロックを制御したり、各ブロック間でのデータ転送を制御したりする。また、制御部１０１は、ユーザからの操作を受け付ける操作部１０２からの操作信号に応じて、撮像装置１００の各ブロックを制御する。
【００１４】
操作部１０２は、例えば、電源ボタン、モード変更スイッチ、静止画記録ボタン、動画記録開始ボタンなどの撮影に関連する各種操作を入力するスイッチ類からなる。また、メニュー表示ボタン、決定ボタン、その他カーソルキー、ポインティングデバイス、タッチパネル等からなり、ユーザによりこれらのキーやボタンが操作されると制御部１０１に操作信号を送信する。バス１０３は、各種データ、制御信号、指示信号などを撮像装置１００の各ブロックに送るための汎用バスである。
【００１５】
撮像部１１０は、後述する交換レンズ２００により取り込まれた被写体の光学像を、ＣＣＤセンサやＣＭＯＳセンサ等の撮像素子により画像信号に変換し、アナログデジタル変換をして、画像処理部１１１に送信する。画像処理部１１１は、入力されたデジタル画像信号に、設定値に基づいてホワイトバランスや色、明るさなどを調整する画質調整処理を行う。そして、画像処理部１１１で処理された画像信号は、制御部１０１により、後述するメモリ１０４や表示制御部１３１に送信される。
【００１６】
また、音声入力部１２０は、例えば、内蔵された無指向性のマイクまたは音声入力端子を介して接続された外部マイク等により、撮像装置１００の周囲の音声を集音（収音）し、アナログデジタル変換をして音声処理部１２１に送信する。音声処理部１２１は、入力されたデジタル音声信号のレベルの適正化処理等の音声に関する処理を行う。そして、音声処理部１２１で処理された音声信号は、制御部１０１によりメモリ１０４に送信される。メモリ１０４は、画像処理部１１１、音声処理部１２１により得られた画像信号及び音声信号を一時的に記憶する。
【００１７】
画像処理部１１１及び音声処理部１２１は、メモリ１０４に一時的に記憶された画像信号や音声信号を読み出して画像信号の符号化、音声信号の符号化などを行い、圧縮画像信号、圧縮音声信号等を生成する。制御部１０１は、これらの圧縮画像信号、圧縮音声信号を、記録再生部１４０に送信する。
【００１８】
記録再生部１４０は、記録媒体１４１に対して画像処理部１１１及び音声処理部１２１で生成された圧縮画像信号、圧縮音声信号、その他撮影に関する制御データ等を記録する。ここで、記録媒体１４１は、撮像装置に内蔵された記録媒体でも、取外し可能な記録媒体でもよく、撮像装置１００で生成した圧縮画像信号、圧縮音声信号、各種データなどを記録することができればよい。例えば、記録媒体１４１は、ハードディスク、光ディスク、光磁気ディスク、ＣＤ−Ｒ、ＤＶＤ−Ｒ、磁気テープ、不揮発性の半導体メモリ、フラッシュメモリ、などのあらゆる方式の記録媒体を含む。
【００１９】
また、記録再生部１４０は、記録媒体１４１に記録された圧縮画像信号、圧縮音声信号、各種データ、プログラムを読み出す（再生する）。そして読み出した圧縮画像信号、圧縮音声信号を、制御部１０１は画像処理部１１１及び音声処理部１２１に送信する。画像処理部１１１及び音声処理部１２１は、圧縮画像信号、圧縮音声信号を一時的にメモリ１０４に記憶させ、所定の手順で復号し、復号した音声信号を不図示の音声出力部へ、復号化した画像信号を表示制御部１３１に送信する。
【００２０】
また、表示制御部１３１は、画像処理部１１１から送信された画像信号による映像や、撮像装置１００の操作をするための操作画面（メニュー画面）等を表示部１３０に表示させる。表示部１３０は、例えば、液晶ディスプレイ、有機ＥＬディスプレイ、電子ペーパー等の表示デバイスであれば何でもよい。レンズ検出部１５０は、撮像装置１００に着脱可能な交換レンズ２００が装着されたことを検出し、制御部１０１へ検出信号を送信する。通信部１５１は、交換レンズ２００側の通信部２１０と接続され、撮像装置１００と交換レンズ２００との間で各種データ、制御信号などの送受信を行う。
【００２１】
制御部１０１は、交換レンズ２００の装着を検出すると、通信部１５１を介して交換レンズ２００と通信し、交換レンズ情報の取得及び交換レンズの初期化を行うよう制御する。
【００２２】
図２において、２００は撮像装置１００に着脱可能な交換レンズである。制御部２０１は、例えばＣＰＵ（ＭＰＵ）、メモリ（ＤＲＡＭ、ＳＲＡＭ）などからなり、撮像装置１００との通信を制御したり、撮像装置１００からの制御信号に応じて交換レンズ２００の情報を送信したり、交換レンズ２００の各ブロックを制御したりする。バス２０２は、各種データ、制御信号、指示信号などを交換レンズ２００の各ブロックに送るための汎用バスである。通信部２１０は、撮像装置１００側の通信部１５１と接続され、撮像装置１００と交換レンズ２００との間で各種データ、制御信号などの送受信を行う。
【００２３】
手ぶれ補正用レンズ２２０は、撮像装置１００からの制御要求に応じて制御部２０１により制御され、手ぶれを補正するように制御される。これにより、ぶれの少ない画像を撮像できるようになる。また、撮像装置１００からの初期化制御要求に応じて、手ぶれ補正用レンズ２２０は所定の初期位置に移動するよう制御される。絞り２３０は、撮像装置１００からの制御要求に応じて制御部２０１により制御され、撮像部１１０に取り込む光量を調整する。これにより、最適な露出の画像を撮像できるようになる。また、撮像装置１００からの初期化制御要求に応じて、絞り２３０は所定の初期絞り量になるよう制御される。
【００２４】
フォーカスレンズ２４０は、撮像装置１００からの制御要求に応じて制御部２０１により制御され、撮像部１１０に結像する被写体のピントを調整する。これにより、ピントの合った画像を撮像できるようになる。また、撮像装置１００からの初期化制御要求に応じて、フォーカスレンズ２４０は所定の初期位置に移動するよう制御される。ここで、本実施例の撮像装置１００の通常の動作について説明する。
【００２５】
本実施例の撮像装置１００は、ユーザが操作部１０２の電源ボタンを操作すると、操作部１０２から制御部１０１に起動の指示が出される。この指示を受けて、制御部１０１は、不図示の電源供給部を制御して、撮像装置１００の各ブロックに対して電源を供給させる。電源が供給されると、制御部１０１は、例えば、操作部１０２のモード変更スイッチが、例えば、静止画撮影モード、プラスムービーオートモード等のどのモードであるかを操作部１０２からの指示信号により確認する。
【００２６】
まず、静止画撮影モードについて説明する。操作部１０２により静止画撮影モードが設定されると、まず制御部１０１は、撮像装置１００の各ブロックを撮影待機状態に設定させる。撮影待機状態では、画像処理部１１１は、画像信号を表示制御部１３１に送信し表示部１３０に画像信号に関する映像を表示させる。ユーザはこの様にして表示された画面を見ながら撮影の準備を行う。撮影待機状態で、ユーザが操作部１０２の静止画記録ボタンを操作することにより撮影指示信号が送信されると、制御部１０１は撮影制御信号を撮像装置１００の各ブロックに送信し、以下のような動作をさせるように制御する。
【００２７】
撮像部１１０は、レンズにより取り込まれた被写体の光学像を撮像素子により画像信号に変換し、アナログデジタル変換し、画像処理部１１１に送信する。画像処理部１１１は、入力されたデジタル画像信号の画質調整処理（ホワイトバランスや色、明るさなど）を設定値に基づいて処理する。そして、画像処理部１１１で処理された画像信号は、制御部１０１によりメモリ１０４や表示制御部１３１に送信される。ここで、表示部１３０に表示された映像を見ることで、ユーザは撮影した静止画を確認することができる。
【００２８】
そして、画像処理部１１１は、メモリ１０４に一時的に記憶された画像信号を読み出して所定の符号化を行い、圧縮画像信号を生成し、記録再生部１４０に出力する。記録再生部１４０は、ＵＤＦ、ＦＡＴ等のファイルシステム管理のもとに、圧縮画像信号を静止画ファイルとして記録媒体１４１に書き込んでいく。なお、制御部１０１は、画像処理部１１１による符号化の動作が終了すると、撮影待機状態に移行させるように制御信号を撮像装置１００の各ブロックに送信して、撮影待機状態に戻る。
【００２９】
次に、本実施例の撮像装置１００の特徴的な動作について説明する。本実施例の撮像装置１００は、プラスムービーオートモードにおいて記録される動画内に、絞りや手ぶれ補正用レンズ、フォーカスレンズ等の初期化による品位の低い画像や音声が記録されてしまうのを防ぐという特徴的な動作を実行することができる。
【００３０】
以下に、本実施例のプラスムービーオートモードにおける動作について図１を用いて説明する。操作部１０２によりプラスムービーオートモードが設定されると、Ｓ１０１へ進む。Ｓ１０１では、制御部１０１は、動画撮影開始の制御信号を撮像装置１００の各ブロックに送信し、以下のような動作をさせるように制御する。撮像部１１０は、交換レンズ２００により取り込まれた被写体の光学像を撮像素子により画像信号に変換し、アナログデジタル変換し、画像処理部１１１に送信する。画像処理部１１１は、入力されたデジタル画像信号の画質調整処理（ホワイトバランスや色、明るさなど）を設定値に基づいて処理する。
【００３１】
そして、画像処理部１１１で処理された画像信号は、制御部１０１により表示制御部１３１、メモリ１０４に送信される。表示制御部１３１は、受信した画像信号に関する映像を表示部１３０に表示させる。ユーザはこの様にして表示された画面を見ながら静止画撮影の準備を行う。一方、音声入力部１２０は、マイクにより得られたアナログ音声信号をデジタル変換し、得られたデジタル音声信号を音声処理部１２１に送信する。音声処理部１２１は、入力されたデジタル音声信号のレベルの適正化処理等をして音声信号を出力する。制御部１０１は、音声処理部１２１により処理された音声信号をメモリ１０４に送信する。
【００３２】
なお、メモリ１０４には、所定秒数の動画を一時記憶するための容量が確保されている。したがって所定秒数以上が経過すると、順次古い動画データを破棄し、新しい動画を上書きし続ける。これにより、メモリ１０４には最新の所定秒数の動画が記憶されることになる。Ｓ１０２では、着脱可能な交換レンズ２００が撮像装置１００に装着されたかどうかをレンズ検出部１５０により判別し、装着された場合はＳ１０３へ進み、装着されていない場合はＳ１０７へ進む。
【００３３】
例えばレンズ未装着のままプラスムービーオートモードを開始し、その後レンズを装着した場合や、プラスムービーオートを開始した後にレンズ交換のために一旦レンズを外し、その後別のレンズを装着した場合などのときに、Ｓ１０３へ進む。制御部１０１は、交換レンズ２００の装着を検出すると、通信部１５１を介して交換レンズ２００と通信し、交換レンズ情報の取得及び交換レンズ内の各ブロックの初期化を行うよう制御する。Ｓ１０３では、絞り２３０が所定の初期絞り量となるよう制御される。Ｓ１０４では、手ぶれ補正用レンズ２２０が所定の初期位置に移動するよう制御される。
【００３４】
Ｓ１０５では、フォーカスレンズ２４０が所定の初期位置に移動するよう制御される。これらの初期化動作中は、撮像画像の明るさや画角、ピント等が大きく変動しており、かつ駆動音も発生している。Ｓ１０６では、メモリ１０４に一時記憶されている動画を破棄し、Ｓ１０７へ進む。Ｓ１０７では、ユーザが操作部１０２の静止画記録ボタンを操作したかどうかを判定し、静止画記録を行う場合はＳ１０８へ進み、静止画記録を行わない場合はＳ１１０へ進む。Ｓ１０８では、動画撮影を終了し、メモリ１０４に一時的に記憶された画像信号や音声信号を読み出して記録再生部１４０に出力する。
【００３５】
記録再生部１４０は、ＵＤＦ、ＦＡＴ等のファイルシステム管理のもとに、動画ファイルとして記録媒体１４１に書き込んでいく。また、並行して前述した静止画撮影モードにおける静止画記録処理と同様の処理も行い、静止画ファイルも記録媒体１４１に書き込んでいく。静止画記録動作まで終了すると、Ｓ１０９においてＳ１０１と同様の動画撮影開始処理を行い、Ｓ１１０へ進む。Ｓ１１０では、ユーザが操作部１０２の電源ボタンやモード変更スイッチ等を操作することによりプラスムービーオートモードが終了されたかどうかを判定し、プラスムービーオートモードを終了する場合はＳ１１１へ進み、終了しない場合はＳ１０２へ戻る。Ｓ１１１では、動画撮影を終了し、プラスムービーオートモードを終了させる。
【００３６】
本実施例によれば、プラスムービーオートモードにおいて、レンズ交換直後に静止画撮影する場合でも、絞りや手ぶれ補正用レンズ、フォーカスレンズ等の初期化による品位の低い画像や音声はメモリ１０４から破棄されるため、記録媒体１４１には動画を記録しないようにすることができる。また、動画撮影処理自体は交換レンズ装着前から継続しており、レンズ初期化完了後はメモリ１０４内の動画データを破棄しているだけであるので、レンズ初期化完了後に動画撮影の再開処理を行うよりも早く動画のバッファリング開始が可能である。したがって、レンズ初期化完了直後に静止画記録の指示が入力された際に、より長い時間の動画を残すことができる。
【００３７】
なお、本実施例では、交換レンズが装着されると、絞りや手ぶれ補正用レンズ、フォーカスレンズの初期化を行うようにしたが、これらのうちのどれか一つであっても良いし、これら以外の例えばズームレンズ等の初期化であっても良い。また、交換レンズの初期化動作中は、表示部１３０に表示される画像もブラックアウトするなどして撮像画像を表示しないようにしても良い。これにより、品位の低い画像をユーザに見せないようにすることができるとともに、プラスムービーオートモードにおいて記録される動画との整合性を保つことができる。すなわち、レンズ初期化完了後にメモリ１０４から破棄される期間は表示部１３０の表示もブラックアウトさせておくことで、記録媒体１４１に記録される動画とユーザが見たものとを一致させることができる。
【００３８】
以上、本発明の好ましい実施形態について説明したが、本発明はこれらの実施形態に限定されず、その要旨の範囲内で種々の変形及び変更が可能である。
【符号の説明】
【００３９】
１００  撮像装置、１０１  制御部、１０２  操作部、１０３  バス、１０４  メモリ、
１１０  撮像部、１１１  画像処理部、１２０  音声入力部、１２１  音声処理部、
１３０  表示部、１３１  表示制御部、１４０  記録再生部、１４１  記録媒体、
１５０  レンズ検出部、１５１  通信部、２００  交換レンズ、２０１  制御部、
２０２  バス、２１０  通信部、２２０  手ぶれ補正用レンズ、２３０  絞り、
２４０  フォーカスレンズ
【図１】
2016082271.tif 000003
【図２】
2016082271.tif 000004